(57)【要約】【課題】育苗容器の重ね枚数の制約、重ね姿勢の不安定化。【解決手段】育苗容器移送台１より移送される育苗容器Ａを受け入れる受入部１６と、該受入部１６の前方に設けられ前記受入部１６に受け入れた育苗容器Ａを段積みする送出部１８とで育苗容器段積取出装置１０を構成し、受入部１６と送出部１８の間に段積機構２０を設け、該段積機構２０は、育苗容器Ａの受入部１６に受け入れた育苗容器Ａを所定高さまで上昇させ、また、所定高さまで上昇させた育苗容器Ａを前記送出部１８の上方にまで略水平状態に保持して前進させ、また、前進させた後に送出部１８上まで育苗容器Ａを略垂直状態で下降させて送出部１８上に育苗容器Ａを段積みさせる左受枠３０および右受枠３１を有し、下方位置から受入部１６で育苗容器Ａを受け入れて上昇するまでは、左受枠３０と右受枠３１を支持位置に保持するように構成した育苗容器段積取出装置。【選択図】図１２
2014223037.tif 000002
【特許請求の範囲】
【請求項１】
育苗容器Ａを移送しうる育苗容器移送台１の終端部に一体または別体で設けられ、前記育苗容器移送台１より移送される育苗容器Ａを受け入れる受入部１６と、該受入部１６の前方に設けた前記受入部１６に受け入れた育苗容器Ａを段積みする送出部１８とを有して育苗容器段積取出装置１０を構成し、受入部１６と送出部１８の間に、前記受入部１６に受け入れた育苗容器Ａを上昇させる左受枠３０と右受枠３１と、該左受枠３０と右受枠３１を移動させる外側チェン２５と内側チェン２６と、該外側チェン２５と内側チェン２６を案内する左右一対の外側案内レール２２と内側案内レール２３とを有して構成する段積機構２０を設け、該段積機構２０は、左受枠３０と右受枠３１とを受入部１６の下方から略垂直状態で上昇させて、受入部１６に受け入れた育苗容器Ａを所定高さまで上昇させ、所定高さまで上昇させた育苗容器Ａを前記送出部１８の上方にまで略水平状態に保持して前方に移動させ、前方に移動後に送出部１８上まで育苗容器Ａを略垂直状態で下降させて送出部１８上に育苗容器Ａを段積みする構成とし、前記左受枠３０と右受枠３１は、外側チェン２５と内側チェン２６に位置不動状態に取付けた取付部材３６に前後方向の軸３７により、育苗容器Ａを下面側から支受しうるように下方回動しないように取付けると共に、段積みされた育苗容器Ａに当たると退避して上方へは回動しうるように取付け、前記左受枠３０と右受枠３１の、育苗容器Ａを下面側支受しうる支持位置と段積みされた育苗容器Ａに当たって退避する退避位置との位置切替は、少なくとも、受入部１６の下方位置から受入部１６で育苗容器Ａを受け入れて上昇するまでは、左受枠３０と右受枠３１を支持位置に保持するように構成した育苗容器段積取出装置。
【請求項２】
請求項１において、左受枠３０と右受枠３１の当接部３３には反転防止突起４１を設け、退避位置に退避した状態の左受枠３０と右受枠３１の反転防止突起４１の移動軌跡には、反転防止突起４１に接触して左受枠３０と右受枠３１の退避位置への回動を阻止する退避阻止面４２を設け、前記左受枠３０と右受枠３１が所定位置の通過後に、支持位置から退避位置への切替を許容するように構成し、前記左受枠３０と右受枠３１は、リンク機構Ｌを介して外側チェン２５と内側チェン２６により水平状態を保持して円移動するように取付け、該リンク機構Ｌの一部を構成する取付具４４に取付軸４３により前記取付部材３６を固定状態に取付け、前記取付具４４は、前記左受枠３０と右受枠３１が上昇するときと下降するときで、前記反転防止突起４１に対する相対位置を変更するように構成し、該取付具４４に前記退避阻止面４２を設け、前記取付具４４は、チェンの移動方向に所定長さを有して形成し、かつ、左受枠３０と右受枠３１の上昇時には反転防止突起４１と対向させ、左受枠３０と右受枠３１の下降時には反転防止突起４１と対峙させず、左受枠３０と右受枠３１の退避位置への回動を許容するように、取付具４４と反転防止突起４１を配置構成し、前記取付具４４の一方側にはチェン取付部２６Ａを設け、取付具４４の他方側には取付軸４３を取付け、略四角形状に形成した案内レールの外周を、チェンに取付けた取付具４４が周回移動する構成とし、もって、上昇時では反転防止突起４１と取付具４４とが対峙し、下降時には反転防止突起４１と取付具４４とが非対峙状態となる構成とし、前記左受枠３０と右受枠３１は、支持部３２と当接部３３とにより前後方向からみてＶ型形状に形成し、前記送出部１８の下方所定位置には、段積みされた育苗容器Ａに当たって折畳み退避させられた左受枠３０と右受枠３１を支持位置に復帰させるガイド４０を設けた育苗容器段積取出装置。
【請求項３】
請求項１において、前記左受枠３０と右受枠３１の当接部３３には反転防止突起４１を設け、退避位置に退避した状態の左受枠３０と右受枠３１の反転防止突起４１の移動軌跡には、反転防止突起４１に接触して左受枠３０と右受枠３１の退避位置への回動を阻止する退避阻止面４２を設けた育苗容器段積取出装置。
【請求項４】
請求項１または請求項３において、前記左受枠３０と右受枠３１が所定位置の通過後に、支持位置から退避位置への切替を許容するように構成した育苗容器段積取出装置。
【請求項５】
請求項１または請求項３または請求項４において、前記左受枠３０と右受枠３１は、リンク機構Ｌを介して外側チェン２５と内側チェン２６により水平状態を保持して円移動するように取付け、該リンク機構Ｌの一部を構成する取付具４４に取付軸４３により前記取付部材３６を固定状態に取付け、前記取付具４４は、前記左受枠３０と右受枠３１が上昇するときと下降するときで、前記反転防止突起４１に対する相対位置を変更するように構成し、該取付具４４に前記退避阻止面４２を設けた育苗容器段積取出装置。
【請求項６】
請求項５において、前記取付具４４は、チェンの移動方向に所定長さを有して形成し、かつ、左受枠３０と右受枠３１の上昇時には反転防止突起４１と対向させ、左受枠３０と右受枠３１の下降時には反転防止突起４１と対峙させず、左受枠３０と右受枠３１の退避位置への回動を許容するように、取付具４４と反転防止突起４１を配置構成した育苗容器段積取出装置。
【請求項７】
請求項６において、前記取付具４４の一方側にはチェン取付部２６Ａを設け、取付具４４の他方側には取付軸４３を取付け、略四角形状に形成した案内レールの外周を、チェンに取付けた取付具４４が周回移動する構成とし、もって、上昇時では反転防止突起４１と取付具４４とが対峙し、下降時には反転防止突起４１と取付具４４とが非対峙状態となる構成とした育苗容器段積取出装置。
【請求項８】
請求項１または請求項３または請求項４または請求項５または請求項６または請求項７において、前記左受枠３０と右受枠３１は、支持部３２と当接部３３とにより前後方向からみてＶ型形状に形成した育苗容器段積取出装置。
【請求項９】
請求項１または請求項３または請求項４または請求項５または請求項６または請求項７または請求項８において、前記送出部１８の下方所定位置には、段積みされた育苗容器Ａに当たって折畳み退避させられた左受枠３０と右受枠３１を支持位置に復帰させるガイド４０を設けた育苗容器段積取出装置。
【発明の詳細な説明】
【技術分野】
【０００１】
本発明は、育苗容器段積取出装置に係るものである。
【背景技術】
【０００２】
従来、播種済の育苗容器を下方に段積みする構成は、公知である（特許文献１）。
また、従来、育苗容器を上方に積み上げる構成は、公知である（特許文献２）。
【先行技術文献】
【特許文献】
【０００３】
【特許文献１】特開平１１−１２３００８号公報
【特許文献２】特開２００２−２３８３５５号公報
【発明の概要】
【発明が解決しようとする課題】
【０００４】
前記公知例のうち、特許文献１に記載されたものは、育苗容器を下方に段積みするので、育苗容器移送台の高さ以上に積むことができないという課題がある。
前記公知例のうち、特許文献２に記載されたものは、育苗容器を上方に段積みするので、所望高さに積み上げられ、上記課題を解決しているが、下から育苗容器を積み上げる構成のため、積み上げた育苗容器の姿勢が不安定となるという課題がある。
本願は、育苗容器を所望高さに、しかも、安定した姿勢で段積運搬するようにしたものである。
【課題を解決するための手段】
【０００５】
請求項１の発明は、育苗容器Ａを移送しうる育苗容器移送台１の終端部に一体または別体で設けられ、前記育苗容器移送台１より移送される育苗容器Ａを受け入れる受入部１６と、該受入部１６の前方に設けた前記受入部１６に受け入れた育苗容器Ａを段積みする送出部１８とを有して育苗容器段積取出装置１０を構成し、受入部１６と送出部１８の間に、前記受入部１６に受け入れた育苗容器Ａを上昇させる左受枠３０と右受枠３１と、該左受枠３０と右受枠３１を移動させる外側チェン２５と内側チェン２６と、該外側チェン２５と内側チェン２６を案内する左右一対の外側案内レール２２と内側案内レール２３とを有して構成する段積機構２０を設け、該段積機構２０は、左受枠３０と右受枠３１とを受入部１６の下方から略垂直状態で上昇させて、受入部１６に受け入れた育苗容器Ａを所定高さまで上昇させ、所定高さまで上昇させた育苗容器Ａを前記送出部１８の上方にまで略水平状態に保持して前方に移動させ、前方に移動後に送出部１８上まで育苗容器Ａを略垂直状態で下降させて送出部１８上に育苗容器Ａを段積みする構成とし、前記左受枠３０と右受枠３１は、外側チェン２５と内側チェン２６に位置不動状態に取付けた取付部材３６に前後方向の軸３７により、育苗容器Ａを下面側から支受しうるように下方回動しないように取付けると共に、段積みされた育苗容器Ａに当たると退避して上方へは回動しうるように取付け、前記左受枠３０と右受枠３１の、育苗容器Ａを下面側支受しうる支持位置と段積みされた育苗容器Ａに当たって退避する退避位置との位置切替は、少なくとも、受入部１６の下方位置から受入部１６で育苗容器Ａを受け入れて上昇するまでは、左受枠３０と右受枠３１を支持位置に保持するように構成した育苗容器段積取出装置としたものである。
請求項２の発明は、左受枠３０と右受枠３１の当接部３３には反転防止突起４１を設け、退避位置に退避した状態の左受枠３０と右受枠３１の反転防止突起４１の移動軌跡には、反転防止突起４１に接触して左受枠３０と右受枠３１の退避位置への回動を阻止する退避阻止面４２を設け、前記左受枠３０と右受枠３１が所定位置の通過後に、支持位置から退避位置への切替を許容するように構成し、前記左受枠３０と右受枠３１は、リンク機構Ｌを介して外側チェン２５と内側チェン２６により水平状態を保持して円移動するように取付け、該リンク機構Ｌの一部を構成する取付具４４に取付軸４３により前記取付部材３６を固定状態に取付け、前記取付具４４は、前記左受枠３０と右受枠３１が上昇するときと下降するときで、前記反転防止突起４１に対する相対位置を変更するように構成し、該取付具４４に前記退避阻止面４２を設け、前記取付具４４は、チェンの移動方向に所定長さを有して形成し、かつ、左受枠３０と右受枠３１の上昇時には反転防止突起４１と対向させ、左受枠３０と右受枠３１の下降時には反転防止突起４１と対峙させず、左受枠３０と右受枠３１の退避位置への回動を許容するように、取付具４４と反転防止突起４１を配置構成し、前記取付具４４の一方側にはチェン取付部２６Ａを設け、取付具４４の他方側には取付軸４３を取付け、略四角形状に形成した案内レールの外周を、チェンに取付けた取付具４４が周回移動する構成とし、もって、上昇時では反転防止突起４１と取付具４４とが対峙し、下降時には反転防止突起４１と取付具４４とが非対峙状態となる構成とし、前記左受枠３０と右受枠３１は、支持部３２と当接部３３とにより前後方向からみてＶ型形状に形成し、前記送出部１８の下方所定位置には、段積みされた育苗容器Ａに当たって折畳み退避させられた左受枠３０と右受枠３１を支持位置に復帰させるガイド４０を設けた育苗容器段積取出装置としたものである。
請求項３の発明は、前記左受枠３０と右受枠３１の当接部３３には反転防止突起４１を設け、退避位置に退避した状態の左受枠３０と右受枠３１の反転防止突起４１の移動軌跡には、反転防止突起４１に接触して左受枠３０と右受枠３１の退避位置への回動を阻止する退避阻止面４２を設けた育苗容器段積取出装置としたものである。
請求項４の発明は、前記左受枠３０と右受枠３１が所定位置の通過後に、支持位置から退避位置への切替を許容するように構成した育苗容器段積取出装置としたものである。
請求項５の発明は、前記左受枠３０と右受枠３１は、リンク機構Ｌを介して外側チェン２５と内側チェン２６により水平状態を保持して円移動するように取付け、該リンク機構Ｌの一部を構成する取付具４４に取付軸４３により前記取付部材３６を固定状態に取付け、前記取付具４４は、前記左受枠３０と右受枠３１が上昇するときと下降するときで、前記反転防止突起４１に対する相対位置を変更するように構成し、該取付具４４に前記退避阻止面４２を設けた育苗容器段積取出装置としたものである。
請求項６の発明は、前記取付具４４は、チェンの移動方向に所定長さを有して形成し、かつ、左受枠３０と右受枠３１の上昇時には反転防止突起４１と対向させ、左受枠３０と右受枠３１の下降時には反転防止突起４１と対峙させず、左受枠３０と右受枠３１の退避位置への回動を許容するように、取付具４４と反転防止突起４１を配置構成した育苗容器段積取出装置としたものである。
請求項７の発明は、前記取付具４４の一方側にはチェン取付部２６Ａを設け、取付具４４の他方側には取付軸４３を取付け、略四角形状に形成した案内レールの外周を、チェンに取付けた取付具４４が周回移動する構成とし、もって、上昇時では反転防止突起４１と取付具４４とが対峙し、下降時には反転防止突起４１と取付具４４とが非対峙状態となる構成とした育苗容器段積取出装置としたものである。
請求項８の発明は、前記左受枠３０と右受枠３１は、支持部３２と当接部３３とにより前後方向からみてＶ型形状に形成した育苗容器段積取出装置としたものである。
請求項９の発明は、前記送出部１８の下方所定位置には、段積みされた育苗容器Ａに当たって折畳み退避させられた左受枠３０と右受枠３１を支持位置に復帰させるガイド４０を設けた育苗容器段積取出装置としたものである。
【発明の効果】
【０００６】
請求項１および請求項２の発明では、育苗容器Ａを一旦上昇させて段積するので、育苗容器段積取出装置１０の取出移送台１１上に育苗容器Ａを所望高さの安定した姿勢で段積ができ、また、受入部１６での左受枠３０と右受枠３１による育苗容器Ａの受入および上昇を確実に行うことができる。
請求項３の発明では、左受枠３０と右受枠３１の当接部３３の反転防止突起４１が退避阻止面４２に当接して左受枠３０と右受枠３１の退避位置への回動を確実に阻止して、左受枠３０と右受枠３１の支持位置を保持することができる。
請求項４の発明では、左受枠３０と右受枠３１が所定位置通過後に退避位置への切替を許容するので、送出部１８での育苗容器Ａの段積みを円滑確実行うことができる。
請求項５の発明では、反転防止突起４１と取付具４４との相対位置を変更する構成とすることで、左受枠３０と右受枠３１の反転防止突起４１と取付具４４の退避阻止面４２による左受枠３０と右受枠３１の退避位置への回動阻止と許容との切替構成を実現できる。
請求項６の発明では、取付具４４を内側チェン２６の移動方向に所定長さを有して形成することで、反転防止突起４１と取付具４４との相対位置の変更を実現できる。
請求項７の発明では、取付具４４の一方側にチェン取付部２６Ａを、他方側には取付軸４３を取付けることと、略四角形状に形成した内側案内レール２３の外周を、取付具４４が周回移動する構成とすることで、反転防止突起４１と取付具４４との相対位置の変更を実現できる。
請求項８の発明では、育苗容器Ａは斜めの当接部３３により左受枠３０と右受枠３１との中央に誘導されるので、安定して段積みできる。
請求項９の発明では、折畳反転させた左受枠３０と右受枠３１を支持位置に確実に復帰させることができる。
【図面の簡単な説明】
【０００７】
【図１】育苗容器段積取出装置の側面図。
【図２】育苗容器の斜視図。
【図３】育苗容器段積取出装置の平面図。
【図４】受枠と取付部材の正面図および側面図。
【図５】受枠および復帰ガイド正面図。
【図６】受枠の取付状態の概略斜視図。
【図７】同伝動機構概略図。
【図８】育苗容器段積取出装置の一部拡大側面図。
【図９】同一部拡大平面図。
【図１０】同背面図。
【図１１】受枠が育苗容器を上昇させる前の待機状態図。
【図１２】受枠の移動状態と反転防止突起と退避阻止面の位置関係を示す概略側面図。
【図１３】受枠の反転不可能状態および可能状態の平面図。
【発明を実施するための形態】
【０００８】
本発明の一実施例を図面により説明すると、１は播種済み育苗容器Ａを移送する育苗容器移送台であり、支脚２により床上に載置される。育苗容器移送台１は播種済み育苗容器Ａを移送する構成であればよいが、育苗容器移送台１上に、例えば、土供給装置、種子供給装置、潅水装置等を設けて、育苗容器Ａにするようにしてもよい。
育苗容器Ａは、合成樹脂等により形成された略水平のベース板３に、下方に突出するポット部４を縦横に連設して形成する。
育苗容器移送台１の終端部側には育苗容器段積取出装置１０の始端部側を接続する。１１は育苗容器段積取出装置１０の受け入れ取出移送台１１であり、左右一対の移送台フレーム１２に支脚１３を設け、床上に載置する。
【０００９】
前記移送台フレーム１２には育苗容器Ａを受け入れる早送り搬送ベルト１５を設けた受入部１６を設ける。受入部１６の前側には所定間隔をおいて支持ローラー１７を並設した送出部１８を設ける。支持ローラー１７は取出移送台１１の移送方向に複数個設ける。
移送台フレーム１２には、受入部１６に受け入れた育苗容器Ａを一旦所定高さにまで上昇させてから送出部１８に下降させて段積する段積機構２０を設ける。
左右の移送台フレーム１２の夫々に縦フレーム２１を前後左右に並設し、受入部１６および送出部１８の左右両側に縦フレーム２１を夫々設け、この縦フレーム２１に外側案内レール２２と内側案内レール２３を設ける。該外側案内レール２２と内側案内レール２３の上部の間に上部レール２４を設ける。
【００１０】
外側案内レール２２と内側案内レール２３には夫々無端状の外側チェン２５と内側チェン２６を掛け回す。外側チェン２５と内側チェン２６には左受枠３０と右受枠３１を取付ける。
段積機構２０は、外側案内レール２２と内側案内レール２３とにより外側チェン２５と内側チェン２６の夫々を案内し、外側チェン２５と内側チェン２６により左受枠３０と右受枠３１との水平状態を保持しまま、受入部１６の下方から略垂直状態で上昇させて、受入部１６に受け入れた育苗容器Ａを所定高さまで上昇させ、次に、所定高さまで上昇させた育苗容器Ａを送出部１８の上方にまで略水平状態に保持して前方に移動させ、次に、送出部１８上まで育苗容器Ａを略垂直状態で下降させ、送出部１８上に育苗容器Ａを段積みさせるように構成している。
【００１１】
複数の左受枠３０と右受枠３１は、段積み用モーター３５により回転する外側チェン２５と内側チェン２６と共に移動して交互に別の左受枠３０と右受枠３１と入れ代わりながら、移送台１より横送り移送されてくる育苗容器Ａを前記のように一旦上昇させて前記送出部１８上に段積する。
前記左受枠３０と右受枠３１は、前後方向からみると、支持部３２と当接部３３とによりＶ型形状に形成する。左受枠３０と右受枠３１の前後側に設けたアーム部３４アーム部３４を、外側チェン２５と内側チェン２６に取付けた取付部材３６に軸３７により回動自在に取付ける。
【００１２】
左受枠３０と右受枠３１は、支持部３２が育苗容器Ａの下面側を支受しうる支持位置から下方回動せず、段積みされた育苗容器Ａに当接部３３が当たると退避位置に上方回動するように、取付部材３６に軸３７により回動自在に取付ける。３６Ａは取付部材３６の側板、３８は支持部３２に設けた育苗容器Ａの前後移動を停止させる係合突起である。
３９は左受枠３０と右受枠３１の夫々に設けた当接突起部であり、送出部１８の下方所定位置に設けたガイド４０に当接すると、段積みされた育苗容器Ａに当たって退避した左受枠３０と右受枠３１を支持位置に復帰させる。
前記左受枠３０と右受枠３１は、リンク機構Ｌを介して外側チェン２５と内側チェン２６により水平状態を保持して円移動するように取付ける。リンク機構Ｌは、左受枠３０と右受枠３１の取付部材３６を取付軸４３に夫々固定し、取付軸４３は内側外側チェン２５に取付けた内側取付具４４に回転自在に取付け、内側取付具４４から外側に突出する取付軸４３にロッド４５の一端を軸着する。前記ロッド４５の他端には取付軸４６を取付け、取付軸４６は外側取付具４７に回転自在に取付け、外側取付具４７は、外側内側チェン２６に取付ける。
【００１３】
４４Ａ、４７Ａは取付軸４３および取付軸４６を回転自在に取付ける軸受である。
そのため、リンク機構Ｌは、内側取付具４４と外側取付具４７とを連結するロッド４５により構成し、外側チェン２５と内側チェン２６に跨って取付けられているロッド４５と共に左受枠３０と右受枠３１とは、水平状態に維持されながら円移動する。
この場合、左受枠３０と右受枠３１は、育苗容器Ａを下面側支受しうる支持位置と段積みされた育苗容器Ａに当たって退避する退避位置とに位置切替可能であるが、少なくとも、受入部１６の下方位置から受入部１６で育苗容器Ａを受け入れて上昇するまでは、左受枠３０と右受枠３１を支持位置に保持し、所定位置を通過後は支持位置から退避位置への切替を許容するように構成する。
即ち、左受枠３０と右受枠３１が上昇するときは支持位置に保持し、左受枠３０と右受枠３１が下降するときは支持位置から退避位置への切替を許容する。
左受枠３０と右受枠３１の支持位置への保持と、左受枠３０と右受枠３１の退避位置への切替の許容させる構成は任意であるが、以下、一例を示す。
【００１４】
前記当接部３３には、反転防止突起４１を設ける。反転防止突起４１は左受枠３０と右受枠３１の長さ方向に対する交差方向に突出させる。退避位置に退避した状態の左受枠３０と右受枠３１の反転防止突起４１の移動軌跡には、反転防止突起４１に接触して左受枠３０と右受枠３１の退避位置への回動を阻止する退避阻止面４２を設ける。
この場合、反転防止突起４１と退避阻止面４２との位置関係は、仮に、左受枠３０と右受枠３１が上方回動して、反転防止突起４１が退避阻止面４２に当接すると、左受枠３０と右受枠３１が自重で支持位置に復帰するように構成する。
退避阻止面４２は、少なくとも、前記ガイド４０の上方に位置させる。
退避阻止面４２は、前記取付具（内側取付具）４４が、左受枠３０と右受枠３１の上昇するときと下降するときで、前記反転防止突起４１に対する相対位置を変更するようにして、移動する取付具４４に設ける。
【００１５】
即ち、取付具４４は、チェン（内側チェン）２６の移動方向に所定長さを有して形成し、かつ、左受枠３０と右受枠３１の上昇時には反転防止突起４１と対向させて左受枠３０と右受枠３１の退避位置への回動を阻止し、左受枠３０と右受枠３１の下降時には反転防止突起４１と対峙させず、左受枠３０と右受枠３１の退避位置への回動を許容するように、取付具４４と反転防止突起４１とを配置構成する。
取付具４４の一方側にはチェン取付部２６Ａを設け、内側取付具４４の他方側には取付軸４３を取付ける。
前記内側案内レール２３は略四角形状に形成し、内側取付具４４は内側チェン２６の移動により案内レール２３の外周を周回するので、上昇時において、取付軸４３の左側に反転防止突起４１と内側取付具４４とが位置するように配置し、下降時には取付軸４３の左側に反転防止突起４１が位置するが、内側取付具４４は取付軸４３の右側に位置するように配置する。
【００１６】
そのため、図１２のように、左受枠３０と右受枠３１の下降が終了したときから上昇終了時まで内側取付具４４は反転防止突起４１の移動軌跡上に臨み退避阻止面４２を当接させ、左受枠３０と右受枠３１の上昇終了時から内側取付具４４は反転防止突起４１の移動軌跡から外れた位置に移動して左受枠３０と右受枠３１の退避位置への回動を許容する。
５０は左外前側歯車、５１は左内前側歯車、５２は左外後側歯車、５３は左内後側歯車、５４は右外前側歯車、５５は右内前側歯車、５６は右外後側歯車、５７は右内後側歯車であり、左外後側歯車５２と右外後側歯車５６は後側回転軸５８に固定し、後側回転軸５８には左右一対の後側中間歯車５９と後側中間歯車６０を夫々固定する。５８Ａ、５８Ｂは歯車である。
【００１７】
後側中間歯車５９と後側中間歯車６０の前側には前側中間歯車６１と前側中間歯車６２を設け、後側中間歯車５９と前側中間歯車６１との間に左側チェン６３を掛け回し、後側中間歯車６０と前側中間歯車６２との間に右側チェン６４を掛け回す。前側中間歯車６１と前側中間歯車６２は夫々前記左内前側歯車５１および右内前側歯車５５を軸装した回転軸６５に固定する。
６３Ａはテンション歯車、６６は、左外前側歯車５０および左内前側歯車５１と、左外後側歯車５２および左内後側歯車５３の間を移動する外側チェン２５と内側チェン２６とが垂れ下がらないように案内するチェン案内ローラーである。
６７は前記受入部１６に段積み用モーター３５の回転を出力する出力歯車、６７Ａは歯車、６７Ｂはチェン、６８は送出部１８に送り出しモータ６９の駆動回転を出力する出力歯車、６８Ａは歯車である。
【００１８】
前記育苗容器移送台１の始端部には育苗容器Ａの受け入れを感知する受入感知センサ７０を設け、送出部１８の上方所定位置には育苗容器Ａの段積み高さを感知する段積み高さ感知センサ７１を設け、受入感知センサ７０および高さ感知センサ７１は制御部に接続して、左受枠３０と右受枠３１の移動を制御する。
左受枠３０と右受枠３１の移動制御は、左受枠３０と右受枠３１が受入部１６の下方から略垂直状態で上昇する上昇行程と、送出部１８に向かう下降工程では停止させないようにする。
即ち、左受枠３０と右受枠３１は、受入部１６から送出部１８に育苗容器Ａを一定速度で移動させるほか、育苗容器移送台１からの育苗容器Ａの搬送が間欠的に搬送されるときには、左受枠３０と右受枠３１を受入部１６から送出部１８に間欠的に移動させることになり、仮に、間欠移動させるときには、左受枠３０と右受枠３１の上昇行程および下降工程では停止させないようにし、合成樹脂により形成されている育苗容器Ａが上昇あるいは下降中に停止して、育苗容器Ａの中央部分の上下振動によって覆土や種子がポット部４から飛び出すのを防止する。
【００１９】
したがって、左受枠３０と右受枠３１は、少なくとも、１８０°位相を変えて２個設ければ実施可能であるが、左受枠３０と右受枠３１を３個設けると、左受枠３０と右受枠３１が上昇行程と下降工程で停止さることはなく、好適である。
前記取出移送台１１の終端には、例えば、育苗ハウス（図示省略）まで搬送する搬送コンベア７５を接続し、段積機構２０により複数段重ねにした育苗容器Ａを育苗ハウス等の所望位置への搬送し、育苗等のための敷設設置の後処理や育苗管理等を行う。
そのため、育苗容器移送台１と搬送コンベア７５の間に本願の育苗容器段積取出装置１０を設けると、小規模な圃場に移植する苗を得るための播種作業と育苗作業を連続して行え、省力化を図れる。
【００２０】
（実施例の作用）
移送台１の供給側上に育苗容器Ａを次々に供給すると、育苗容器Ａは移送されて、例えば、床土、種子の供給を受け、潅水および覆土の供給を受けて、播種は完了する。
播種された育苗容器Ａは、育苗容器段積取出装置１０の取出移送台１１の始端側の受入部１６上に乗移り移ると、受入感知センサ７０がこれを感知して段積み用モーター３５を駆動する。
段積み用モーター３５が駆動すると、早送り搬送ベルト１５を駆動回転させ、受入部１６上に乗移り移った育苗容器Ａを早送りさせる。
また、段積み用モーター３５の駆動が後側回転軸５８に伝達されて、後側回転軸５８は左右両側の左外後側歯車５２と右外後側歯車５６とを回転させ、これにより、外側チェン２５は移動開始する。
【００２１】
また、後側回転軸５８の回転が、後側中間歯車５９と後側中間歯車６０→左側チェン６３と右側チェン６４→前側中間歯車６１と前側中間歯車６２→左内前側歯車５１と右内前側歯車５５と伝達されて、内側チェン２６の移動を開始させる。
外側チェン２５と内側チェン２６には、左受枠３０と右受枠３１が取り付けられているから、左受枠３０と右受枠３１は受入部１６の下方から略垂直状態で上昇して、受入部１６に受け入れた育苗容器Ａの左右両側下面に当接支持して所定高さまで上昇させ、所定高さまで上昇させた育苗容器Ａを送出部１８の上方位置にまで略水平状態に保持したまま前方に移動させ、次に、送出部１８の上方位置にて育苗容器Ａを略垂直状態で下降させ、送出部１８上に育苗容器Ａを載置する。
【００２２】
送出部１８上に育苗容器Ａを載置させた左受枠３０と右受枠３１は、チェン案内ローラー６６により支持されて受入部１６の下方まで後方移動し、受入部１６の下方位置から上昇を再開し、前記のように育苗容器Ａの段積みを反復して行う。
このとき、送出部１８上に載置した先行育苗容器Ａ上に、次の、後続育苗容器Ａを左受枠３０と右受枠３１が載置して下降すると、先行育苗容器Ａの縁に左受枠３０と右受枠３１は当たって側方に退避し、左受枠３０と右受枠３１の夫々に設けた当接部３９が送出部１８の下方所定位置に設けたガイド４０に当接すると、折畳み退避させられた左受枠３０と右受枠３１を支持位置に復帰させて、受入部１６の下方まで後方移動させる。
【００２３】
しかして、左受枠３０と右受枠３１は、育苗容器Ａを下面側支受しうる支持位置と段積みされた育苗容器Ａに当たって退避する退避位置とに位置切替可能であるが、少なくとも、受入部１６の下方位置から受入部１６で育苗容器Ａを受け入れて上昇するまでは、左受枠３０と右受枠３１を支持位置に保持するので、受入部１６の下方位置から上昇する左受枠３０と右受枠３１は支持状態を保持したまま受入部１６で育苗容器Ａを受け入れて上昇する。
左受枠３０と右受枠３１が所定位置を通過した後は支持位置から退避位置への切替を許容するように構成しているので、送出部１８の上方位置から送出部１８まで育苗容器Ａを下降させるときには、支持位置から退避位置への左受枠３０と右受枠３１の切替を許容して、送出部１８に育苗容器Ａを確実に段積みする。
【００２４】
左受枠３０と右受枠３１の当接部３３には、反転防止突起４１を設け、退避位置に退避した状態の左受枠３０と右受枠３１の反転防止突起４１の移動軌跡には、反転防止突起４１に接触して左受枠３０と右受枠３１の退避位置への回動を阻止する退避阻止面４２を設けているので、受入部１６の下方位置から上昇する左受枠３０と右受枠３１の反転防止突起４１は退避阻止面４２に当接し、左受枠３０と右受枠３１は支持状態を保持したまま受入部１６で育苗容器Ａを受け入れて上昇する。
退避阻止面４２は、取付具４４が、左受枠３０と右受枠３１の上昇するときと下降するときで、前記反転防止突起４１に対する相対位置を変更するようにして、移動する取付具４４に設けているので、左受枠３０と右受枠３１の反転防止突起４１は、上昇時には内側取付具４４の一部と当接して左受枠３０と右受枠３１の退避位置への回動を阻止し、左受枠３０と右受枠３１の下降時には取付具４４に反転防止突起４１は非接触状態となって、左受枠３０と右受枠３１の退避位置への回動を許容するように、取付具４４と反転防止突起４１を配置構成する。
【００２５】
取付具４４は、チェン２６の移動方向に所定長さを有して形成し、かつ、左受枠３０と右受枠３１の上昇時には反転防止突起４１と対向させ、左受枠３０と右受枠３１の下降時には反転防止突起４１と対峙させず、左受枠３０と右受枠３１の退避位置への回動を許容するように、取付具４４と反転防止突起４１を配置構成しているので、左受枠３０と右受枠３１の上昇時には内側取付具４４の退避阻止面４２と左受枠３０と右受枠３１の反転防止突起４１とは対向して接触し左受枠３０と右受枠３１の退避位置への回動を阻止し、左受枠３０と右受枠３１の下降時には内側取付具４４の退避阻止面４２は左受枠３０と右受枠３１の反転防止突起４１と対峙せず、左受枠３０と右受枠３１の退避位置への回動を許容する。
【００２６】
取付具４４の一方側にはチェン取付部２６Ａを設け、取付具４４の他方側には取付軸４３を取付け、略四角形状に形成した案内レール２３の外周にチェン２６に取付けた取付具４４が周回の移動するので、上昇時では取付軸４３の一方側（右側）に反転防止突起４１と取付具４４とが位置し、下降時には取付軸４３の他方側（左側）に反転防止突起４１が位置するが、取付具４４は取付軸４３の一方側（右側）に位置する。
したがって、左受枠３０と右受枠３１の上昇時には取付具４４の退避阻止面４２と左受枠３０と右受枠３１の反転防止突起４１とは対向して接触し左受枠３０と右受枠３１の退避位置への回動を阻止し、左受枠３０と右受枠３１の下降時には取付具４４の退避阻止面４２は左受枠３０と右受枠３１の反転防止突起４１と対峙せず、左受枠３０と右受枠３１の退避位置への回動を許容する。
【００２７】
また、取付具４４の一方側にチェン取付部２６Ａを、取付具４４の他方側に取付軸４３を設け、案内レール２３の外周をチェン２６が周回の移動するので、図１２のように、左受枠３０と右受枠３１の下降が終了したときから上昇終了時まで取付具４４の退避阻止面４２は反転防止突起４１の移動軌跡上に臨んで当接し、左受枠３０と右受枠３１の上昇終了時から取付具４４の退避阻止面４２は反転防止突起４１の移動軌跡から外れた位置に移動して左受枠３０と右受枠３１の退避位置への回動を許容する。
【００２８】
上記の場合、育苗容器段積取出装置１０の取出移送台１１の始端側の受入部１６上に育苗容器Ａが所定位置に乗り移ると、受入感知センサ７０がこれを感知し、受入感知センサ７０は段積み用モーター３５を間欠移動させて、受入部１６上に載置した先行育苗容器Ａを上昇させて、受入部１６上が開くと、後続育苗容器Ａを受け入れ、後続育苗容器Ａを受入感知センサ７０が感知すると、後続育苗容器Ａと共に先行育苗容器Ａを移動させる。
そのため、育苗容器移送台１から育苗容器段積取出装置１０への受け渡しが確実になり、育苗容器段積取出装置１０での育苗容器Ａの上昇および下降を確実にして育苗容器Ａの段積みを円滑に行える。
【００２９】
しかして、送出部１８の所定位置には育苗容器Ａの段積み高さを感知する高さ感知センサ７１を高さ調節自在に設けているので、送出部１８上に所定枚数の育苗容器Ａが段積されると、これを高さ感知センサ７１が感知し、送り出しモータ６９により支持ローラー１７を駆動回転させて、段積み育苗容器Ａを送り出す。
【符号の説明】
【００３０】
１…育苗容器移送台、３…ベース板、４…ポット部、１０…育苗容器段積取出装置、１１…取出移送台、１２…移送台フレーム、１３…支脚、１５…早送り搬送ベルト、１６…受入部、１７…支持ローラー、１８…送出部、２０…段積機構、２２…外側案内レール、２３…内側案内レール、２５…外側チェン、２６…内側チェン、２６Ａ…チェン取付部、３１…右受枠、３０…左受枠、３２…支持部、３３…当接部、３４…アーム部、３５…段積み用モーター、３６…取付部材、３６Ａ…側板、３７…軸、３９…当接部、４０…ガイド、４１…反転防止突起、４２…退避阻止面、４３…取付軸、４４…内側取付具、４５…ロッド、４７…外側取付具、４６…取付軸、５０…左外前側歯車、５１…左内前側歯車、５２…左外後側歯車、５３…左内後側歯車、５４…右外前側歯車、５５…右内前側歯車、５６…右外後側歯車、５７…右内後側歯車、５８…後側回転軸、５９…後側中間歯車、６０…後側中間歯車、６１…前側中間歯車、６２…前側中間歯車、６３…左側チェン、６３Ａ…テンション歯車、６４…右側チェン、６５…回転軸、６６…チェン案内ローラー、６７Ａ…歯車、６７Ｂ…チェン、６９…送り出しモータ、７０…受入感知センサ、７１…高さ感知センサ、７５…搬送コンベア、Ａ…育苗容器。
【図１】
2014223037.tif 000003
【図２】
2014223037.tif 000004
【図３】
2014223037.tif 000005
【図４】
2014223037.tif 000006
【図５】
2014223037.tif 000007
【図６】
2014223037.tif 000008
【図７】
2014223037.tif 000009
【図８】
2014223037.tif 000010
【図９】
2014223037.tif 000011
【図１０】
2014223037.tif 000012
【図１１】
2014223037.tif 000013
【図１２】
2014223037.tif 000014
【図１３】
2014223037.tif 000015